(57)【要約】【課題】足の筋肉を伸べる器具を提供する。【解決手段】一つの中空で開口が上へ向く長方形の箱、一組の仕切り板、及び一つのペダルからなり；その箱は両の長いサイドが互いに向き合う内側において適当な距離を隔てて複数の対称になる縦向きの溝を設け、仕切り板をそれに挿入して定位でき；その仕切り板は長方形になる板であり、両サイドにおいて同じ端面から案内レールが延びて箱の溝に挿入することができ；そのペダルは丁度長方形の箱の中空チェンバーのような形状になる板であるために箱の中空チェンバーに入れることができ、よって両の仕切り板をそれぞれ箱の中空チェンバーの中にあるエッジに近い溝及び中間部の溝に挿入することができ、又ペダルを傾斜に両の仕切り板の中に寄り当てると足がそれを踏んで筋肉を快適に伸べることができる。又、パーツの組合せを変更することで収納箱、椅子、及びキャビネット等多重機能の使用に組み立てることができる。【選択図】図２
0003102665.tif 000002
【実用新案登録請求の範囲】
【請求項１】
一つの中空で開口が上へ向く箱、一組の仕切り板、及び一つのペダルからなり；
該箱は長いサイドの、互い向き合う内側において適当な間隔を置いて複数の対称になる縦向きの溝を設けることによって仕切り板を挿入して定位することができ；
該ペダルは箱の中空のチェンバー形状になる板であるために、両仕切り板を其々箱の中空のチェンバーの、エッジに近い溝及び中間部分にある溝に挿入することができ、またペダルを傾斜にして両の仕切り板の間へ寄り当てると足が踏んで筋肉を伸べる運動ができる、
足の筋肉を伸べる器具。
【請求項２】
箱の長いサイドの両側に貫通孔を設け、取っ手として使用でき、箱を持つのに便利である、請求項１に記載の器具。
【請求項３】
仕切り板の底部は貫通する凹溝に形成したために箱の溝から取り出しやすくなる、請求項１に記載の器具。
【請求項４】
ペダルの下方が寄り当たる仕切り板の側面に、クッションを設けることができる、請求項１に記載の器具。
【請求項５】
ペダルの底部の、それが寄り当たって傾斜状になる仕切り板の下方に、先に一つの短い仕切り板を下敷きにすることによって仕切り板の高度を増えさせることでペダルの傾斜度の変化を増加できる、請求項１に記載の器具。
【請求項６】
一組の仕切り板に含まれるいずれかの仕切り板の高度が他の仕切り板の高度と異なる、請求項１に記載の器具。
【考案の詳細な説明】
【技術分野】
【０００１】
当考案は一種の足の筋肉を伸べる器具であり、それは操作簡易で、効果がよく、ペダルが多段階式の傾斜に調整でき、及び局所の角度を微調整する機能を持つ。更に一台で多用途の機能があり、それは足の筋肉を伸べる器具、椅子、収納箱、及びキャビネットなどの機能である。
【背景技術】
【０００２】
運動する前、体を軟らかくする予備動作及び筋肉を伸べる伸展運動によって能力が高められ、傷害から守られる。筋肉を伸べる利点は神経と筋肉との交流を促進する運動から生じたものであり、静態で筋肉を伸べること自身から生じた結果ではない。それは柔軟度を高め、体が弾力性に富んだ活動範囲を発展するに役立つものである。そして関節がこの活動範囲内で楽に動けるようになるには曲げ、伸び及び回りの動作が同時に合わせることが必要になる。全面的な筋肉を伸べる練習は関節の動き、パワー、爆発力、耐力、バランス及び協調を発展させるに役立つものである。その理由としては、一、筋肉の温度を高めることによって靭帯、筋肉を伸べる時の傷つき及び体に不快な感じを齎すのを避けることができる。二、筋肉及び関節の硬直を低下させ、筋肉の能力を高めることができる。三、神経システムの反応速度及び集中力を加速し、より敏捷にデータを受けて反応を出すことができる。四、体温を上昇させ、心臓の鼓動を加速し、血液及び酸素を筋肉に運ぶことを促進することができる。筋肉を伸べる運動は上記のような種種の長所があるから多種の補助器具を研究開発する業者が出てきた。その中に前の特許を得た考案の公告第321908号「足の筋肉を伸べる器具」のようなものがあり、それは一つのベースがあり、それが大体凹状に呈し、後はより高くなって突出して直立の板になり、且その両側の板にそれぞれ互いに対称になる枢接孔を開設して、内側に中空部があり、両側の底縁が互いに対応する適当な位置にそれぞれ一つの中間板を固着して、且中間板の底端に止め口を開設して；一つのペダルがあり、それがそのベースの板をカバーすることができ、両側の板の後端が互いに対称になる個所に受け止め孔座を設けて、前述した枢接孔と合わせてから枢接して組み合わせ、そして底部の板面において複数の突出した枠棒状の引き止め体が成型してあり；一つの止め棒があり、それは凹字状になる棒体であり、両端は横向に一つの枢接部が伸びて、前述の止め口の中に入って定位になることができ；その止め棒は適当な引き止め体を選択してからそれの中に入ったことによってペダルが傾斜状になるために、そうすると足の裏がそこに踏んで筋肉を伸べる動作を行なうことができる。
【０００３】
前述のような従来知られた構造の欠点とは、ペダルの角度の調整は僅か三段階式であるため、大幅の調整しかできず、それぞれの年齢層のニーズに適用できないし、また順序に漸進的な、筋肉を伸べる効果が獲得できない。そのような欠点についてその他の業者は多段階式の傾斜角度が調整できるような器具を研究開発したが、例えば特許公告の第516432号「筋肉を伸べる気血循環按摩機」のようなものがあるが、唯、その特許案の製造コストが高いためにそれを価額に反映させると一般の消費者に受入れられ難くなる。また、前述した両の特許案の共通点と言えば一つの器具は一つの使用機能しか持たず、万が一使用者は筋肉を伸べる運動に厭きたらその筋肉を伸べる器具（機器）は無用の長物になり、再び他の用途として使われることができなくなる。
【０００４】
よって従来知られた器具の欠点を見て本考案者は絶えずに研究を積重ねて足の筋肉を伸べる器具の構造に対して充分な思案を加えてそれをより完全にさせるため、何回もの試作、実験を経て本考案を完成した。
【特許文献１】台湾特許公告第321908号
【特許文献２】台湾特許公告第516432号
【考案の開示】
【０００５】
本考案の主な目的とは一種の足の筋肉を伸べる器具を提供することにあり、それは一つの中空で開口が上へ向くの箱、一組の仕切り板、及び一つのペダルなどを含め、上述のパーツからなるために足の筋肉を伸べる効果を持つ他、更に椅子、収納箱、キャビネットなどに組み立てることのできる多種の機能を持つ器具である。ここで一組とは２以上のものを言う。
【考案を実施するための最良の形態】
【０００６】
次は再び本考案の改良した構造の特徴など項目について図面を合わせて説明する。
【０００７】
まず、図１から図３において、本考案における一種の足の筋肉を伸べる器具とは、それは一つの中空で開口が上へ向く長方形の箱（10）、一組の仕切り板（20）、及び一つのペダル（30）からなり、その中において、
その箱（10）は両長いサイドが互いに向き合う内側に適当な間隔を置いて複数の対称になる縦向きの溝（11）を設けるために仕切り板（20）を挿入して定位でき；また長いサイドの両側に対称になる長い形の貫通孔（12）を設けて、取っ手として使われ、それによって箱（10）を便利に持つことができる；
その仕切り板（20）は長方形の板であり、両サイドの同じ端から案内レール（21）が伸びているために箱（10）の溝（11）の中に挿入でき；仕切り板（20）の底部は貫通する凹溝（22）になっているため、仕切り板（20）が箱（10）の溝（11）に挿入して定位になってから取り出しやすくなる；
そのペダル（30）は長方形の箱（10）の中空チェンバー状の板であるために箱（10）の中空チェンバーの中に入れることができる；
従って上記のパーツによってまず、その中の一つの仕切り板（20）の案内レール（21）を箱（10）の中空チェンバーのエッジに近い溝（11）の中に挿入して定位させてからもう一つの仕切り板（20）の案内レール（21）を中間の部分にある任意の一つの溝（11）に挿入して定位させ、それからペダル（30）を傾斜させて一組の仕切り板（20）の中へもたれると足が踏んで筋肉を伸べる運動ができる；その中において、箱（10）の中間部分にある同じ溝（11）内に挿入しておいた仕切り板（20）は180°回転して方向を変えてから挿入することができるためにペダル（30）を小幅に角度調整にすることができ、或いは仕切り板（20）を挿入する溝（11）の位置を換えることによってペダル（30）の傾斜角度を調整する機能に達することもでき；故に本考案において、箱（10）の中空チェンバーの、内側に向き合うサイドに間隔を置いて複数の溝（11）を設けているために仕切り板（20）を挿入して定位させることができ、また仕切り板（20）の方向を変えて定位させると二種類の違った角度を小幅に調整する効果が得られるために本考案の足の筋肉を伸べる器具のペダル（30）に多段階式の角度調整の変化があってそれぞれの世代の使用者に通用されるようになるのである。
【０００８】
以上は本考案での一種の足の筋肉を伸べる器具の構造におけるそれぞれのパーツの間にお互いに関連する構造、位置及び組立方式などへの概説であり、次に、本考案によって予期して達成できる実施の効果及び使用の特徴について説明する。
【０００９】
本考案での足の筋肉を伸べる器具は違った組立方式によって多種の使用機能の変化を持つものである。要するに人々はある運動に従事し、または熱中になる場合、往々にして一時の興味でやっていて一旦潜在した惰性が現れてきたら持続できなくなりがちで、衝動的に買った運動補助器具が結局隅に置きっ放しの運命に遭わせられて二度と使われなくなるのがよく見られるようで、本考案はそれについて対策を考えたのである。運動の器具として使わない場合、図４に示されたように、一組の仕切り板（20）をそれぞれ箱（10）の内部の、両短いサイドに近い溝（11）の中に挿入して、或いは任意の一つの溝内（但し、仕切り板を適当な間隔を置いて挿入すること）に挿入して、そうすると収納箱として使うことができ；もしペダル（30）を箱（10）の開口端を覆うことにしたら収納箱を塵から守る効果に達したり、椅子として使ったりする目的に達する。また、図５に示されたようにペダル（30）を先に箱（10）の中空のチェンバーに入れておき、次に仕切り板（20）を箱（10）の大体中間の部分にある溝（11）に挿入して定位させると、書籍、ＣＤ、テープなどを置くキャビネットのようなものになれるために本考案は器具そのものの効用を充分に尽くさせる特徴を持つのである。
【００１０】
また、図６に示されたように、本考案の足の筋肉を伸べる器具の構造では更に高度の異なる短い仕切り板（23）及び一つのクッション（40）を含めている；その短い仕切り板（23）は仕切り板（20）の幅と同じだが、高度が箱（10）の高さと異なり半分程度に短くなる、その主な用途とは仕切り板（20）を高くさせる下敷きのようなものであり、それによってペダル（30）を傾斜に置く時の傾斜度を増やすことができるのである。短い仕切り板（23）を仕切り板（20）と合わせて使用する場合、その位置は仕切り板（20）の下方に置くもので、箱（10）の溝（11）の半分の高さを予め保留して仕切り板（20）が確かに安定に挿入できるようになって仕切り板（20）の高度が増える効果に達するのである。本考案において、仕切り板（20）と短い仕切り板（23）を組み合わせて一組の仕切り板とすることもできる。
【００１１】
そのクッション（40）はその中の一つの仕切り板（20）の側面に設けてあり、その部分にある仕切り板（20）の側面はペダル（30）を傾斜に置く場合、その下端が寄り当たる端面に位置しているために使用者の足の踵に快適な下敷きを提供するものになる。
【００１２】
唯、以上に述べられたものは当考案のよりよい実施可能な例に過ぎず、大凡当考案の明細書及び実用新案登録請求の範囲を応用して造った、効果の同じような構造変化は当考案の範囲内に属されるべきである。
【図面の簡単な説明】
【００１３】
【図１】当考案の組立の分解図である。
【図２】当考案の組立の実施形態の斜視図である。
【図３】図２の組立の断面図である。
【図４】当考案の実施形態の斜視図である
【図５】当考案の実施形態の斜視図である。
【図６】当考案の実施形態の断面図である。
【符号の説明】
【００１４】
１０  箱
１１  溝
１２  貫通孔
２０  仕切り板
２１  案内レール
２２  凹溝
２３  短い仕切り板
３０  ペダル
４０  クッション
【図１】
0003102665.tif 000003
【図２】
0003102665.tif 000004
【図３】
0003102665.tif 000005
【図４】
0003102665.tif 000006
【図５】
0003102665.tif 000007
【図６】
0003102665.tif 000008